(57)【特許請求の範囲】
【請求項１】
車椅子を載置可能なトレー部と、該トレー部を駆動させる駆動部を備え、駆動部は上下方向に昇降する昇降部と、該昇降部に軸受部にて回動自在に設けられたトレー支持軸と、前記昇降部に取り付けられ、トレー支持軸に取り付けられたクランクを介して該トレー支持軸を回動させる支持軸回動部を有しており、トレー支持軸はトレー部と接続されており、トレー部には車椅子の主輪がトレー部から落ちないように支持可能な主輪止め部材と、トレー部上に載置された車椅子の背部を支持可能な背部支持部材と、車椅子の自在車がトレー部から落ちないように支持可能な自在車止め部材が備えられていることを特徴とする車椅子支持装置。
【請求項２】
背部支持部材及び主輪止め部材は可動であり、車椅子のトレー部乗降時には乗降の邪魔にならない状態となり、車椅子をトレー部上に載置した際には車椅子がトレー部から落ちないように支持可能な状態となり、支持可能な状態を維持するためのロック機構を備えていることを特徴とする請求項１記載の車椅子支持装置。
【請求項３】
駆動部及びトレー部はターンテーブル上に配されており、水平方向に回動又は回転可能であることを特徴とする請求項１又は請求項２記載の車椅子支持装置。
【発明の詳細な説明】
【０００１】
【発明の属する技術分野】
本発明は、車椅子利用者が車椅子から降りることなく、車椅子に座ったままの状態で散髪や洗髪等を行うことのできる装置に関するものである。
【０００２】
【従来の技術】
下半身が不自由な障害者や高齢者は車椅子を利用して移動することが多く、近年ではバリアフリーを目指して車椅子でも利用しやすい施設や店舗が徐々に増えつつある。
【０００３】
しかしながら、美容院や理容店では設備や道具を使用する都合上、専用の理容椅子に座って散髪や洗髪を行う必要があるので、車椅子利用者は一旦車椅子から降りて理容椅子に移動しなければならず、散髪等の終了後には反対に理容椅子から車椅子に移動しなければならない。
【０００４】
この場合、介護者が同行して補助できない場合は、車椅子と理容椅子との間の移動は困難である。又、移動は車椅子利用者に身体的負担をかけるのみならず、移動を補助する介護者や理容師にとっても人を抱えるようにして移動させることは重労働となる。
【０００５】
このことが、車椅子利用者に身体的及び精神的な負担となり、気軽に理容店や美容院に立ち寄りにくくさせる大きな原因となっている。
【０００６】
【発明が解決しようとする課題】
そこで、車椅子利用者が車椅子から降りることなく、車椅子に座ったままの状態で散髪や洗髪等を行うことのできる装置を提供し、車椅子利用者が気軽に散髪や洗髪等のサービスを利用しやすくすることが本発明の目的となる。
【０００７】
【課題を解決するための手段】
本発明の請求項１記載の車椅子支持装置は、車椅子(51)を載置可能なトレー部(1)と、該トレー部(1)を駆動させる駆動部(2)を備え、駆動部(2)は上下方向に昇降する昇降部(101)と、該昇降部(101)に軸受部(111)にて回動自在に設けられたトレー支持軸(100)と、前記昇降部(101)に取り付けられ、トレー支持軸(100)に取り付けられたクランク(107)を介して該トレー支持軸(100)を回動させる支持軸回動部(106)を有しており、トレー支持軸(100)はトレー部(1)と接続されており、トレー部(1)には車椅子(51)の主輪(52)がトレー部(1)から落ちないように支持可能な主輪止め部材(10)と、トレー部(1)上に載置された車椅子(51)の背部を支持可能な背部支持部材(12)と、車椅子(51)の自在車(53)がトレー部(1)から落ちないよう支持可能な自在車止め部材(15)が備えられていることを特徴とする。
【０００８】
これによれば、車椅子(51)をトレー部(1)に載せ、前方の自在車止め部材(15)と、後方の主輪止め部材(10)と背部支持部材(12)により車椅子(51)がトレー部(1)から落ちないように支持することができる。
【０００９】
そして、トレー部(1)に車椅子(51)が載置された状態で駆動部を駆動させトレー支持軸(100)を昇降させることにより、トレー支持軸(100)に接続されているトレー部(1)を昇降させることができ、またトレー支持軸(100)を回転させることによりトレー部(1)を傾けることができる。
【００１０】
理容師や美容師はトレー部(1)に載せられた車椅子(51)を任意の高さや角度に支持することができ、散髪や洗髪等を容易に行うことができる。
【００１１】
請求項２の車椅子支持装置は、請求項１の支持装置において、背部支持部材(12)及び主輪止め部材(10)は可動であり、車椅子(51)のトレー部乗降時には乗降の邪魔にならない状態となり、車椅子(51)をトレー部上に載置した際には車椅子(51)を支持可能な状態となり、支持可能な状態を維持するためのロック機構を備えていることを特徴とする。
【００１２】
これによれば、車椅子(51)のトレー部(1)への乗降時には、背部支持部材(12)と主輪止め部材(10)をじゃまにならないように倒す等することができるので、容易に車椅子をトレー部に載せたり降ろしたりすることができる。
【００１３】
又、車椅子(51)を支えるために作動中には、作動状態を維持するようにロックされるので、不測に背部支持部材(12)や主輪止め部材(10)による支持が解除されて車椅子(51)がトレー部(1)上から落ちることを防止することができる。
【００１４】
請求項３の支持装置は、請求項１又は請求項２の装置において、駆動部(2)とトレー部(1)はターンテーブル(3)上に配されており、水平方向に回動又は回転可能であることを特徴とする。
【００１５】
これによれば、ターンテーブル(3)を回転させることにより、車椅子(51)を載置したトレー部(1)を回転させることができる。車椅子(51)の向きを変えることにより、洗髪の際に車椅子利用者(50)の頭が洗面台に向くように回転させること等が可能となる。
【００１６】
【発明の実施の形態】
以下、本発明を好適な実施例を用いて説明する。
［実施例］
図１は本実施例の正面図、図２は平面図である。
【００１７】
(51)は車椅子、(50)は車椅子に座っている利用者であり、(52)は車椅子の主輪、(53)は自在車である。
【００１８】
(1)は車椅子(51)を載置するための略コ字状のトレー部であり、２本のレール部(1a)を有している。(2)はトレー部(1)を駆動するための駆動装置を有する駆動部であり、(2a)はその筐体である。
【００１９】
トレー部(1)と駆動部(2)とはトレー支持軸(100)により接続されている。
【００２０】
(10)は車椅子(51)の主輪(52)がトレー部(1)から落ちないように支持する主輪止め部材であり、トレー部(1)の車椅子進入側（図１では左側）端に取り付けられている。
【００２１】
(12)はトレー部(1)のレール(1a)間に取り付けられた背部支持部材であり、起こした状態にすれば車椅子(51)やそれに座っている人(50)の背部に当接して、トレー部を傾斜させた場合でも車椅子が転倒しないように支持することができる。背部支持部材(12)の長さは固定ノブを緩めて伸縮させることができるので、車椅子利用者(50)の体格等に合わせて長さを調整することができる。
【００２２】
(11)は主輪止め部材(10)と背部支持部材(12)とを連結する連動用支柱であり、背部支持部材(12)を起こすと、主輪止め部材(10)も連動して起きあがるようになっている。
【００２３】
(13)はロック部材としてのロック支柱であり、Ｙ字型の形状を有し、上端部は背部支持部材(12)に備えられた支持部材取付軸(9)に２カ所で軸止されている。又、ロック支柱(13)の下端部はトレー部(1)のレール(1a)間に設けられた支柱係止部を兼ねるロック解除用足踏レバー(16)に突っ張るように係止され、背部支持部材(12)が起こされた状態を保持できるようになっている。
【００２４】
(14)は手摺であり、トレー部(1)上の車椅子利用者(50)が掴むことができると共に、車椅子(51)がトレー部(1)の駆動部(2)と反対側へ落下するのを防止するガード部材としての役割を兼ねている。
【００２５】
(15)は自在車止め部材であり、本実施例では自在車(53)と当接する車止めをトレー部(1)の上に設けたが、自在車(53)がはまりこむ溝をトレー部(1)上に設ける等しても良い。又、更に安全性を高めようとする場合には自在車(53)を固定する固定機構を設けても良い。
【００２６】
(5)はトレー部(1)に設けられたトレー支持軸取付部であり、軸接続部材(4)を介して前記のトレー支持軸(100)と接続されている。
【００２７】
図３は駆動部(2)の内部構造を示した平面図である。(2a)は駆動部(2)の駆動機構を収納する駆動部筺体である。(104)は駆動部筺体(2a)の内側に上下方向に配されている２本の平行な昇降用レールである。(105)はレール用ブロックであり、昇降用レール(104)に沿って上下方向にスライドすることができる。２つのレール用ブロック(105)には昇降板(101)が取り付けられており、レール用ブロック(105)と共に上下方向にスライド移動する。
【００２８】
(102)は上下方向に伸縮可能な油圧式の昇降用シリンダーであり、昇降板(101)に設けられた昇降板駆動軸(101a)とピン(103)で固定されている。
【００２９】
昇降板(101)には軸受部材(110)と油圧式の回転用シリンダー(106)が取り付けられている。軸受部材(110)の軸受部(111)にはトレー支持軸(100)が装着されている。
【００３０】
このような構造により、昇降用シリンダー(102)が伸縮すると、昇降板(101)が上下方向にスライド移動し、軸受部材(110)，トレー支持軸(100) ，回転用シリンダー(106)も昇降板(101)と共に上下方向にスライド移動する。
【００３１】
トレー支持軸(100)はトレー部(1)と接続されているため、昇降用シリンダー(102)の伸縮によりトレー部(1)が昇降することとなる。
【００３２】
(107)は回転用シリンダー(106)に接続されたクランクであり、クランク接続部(108)を介してトレー支持軸(100)に接続されている。(109)はクランク(107)の動きをトレー支持軸(100)に伝達するキー材である。
【００３３】
回転用シリンダー(106)が伸縮するとクランク(107)の動きによりトレー支持軸(100)を軸周りに回転させようとする力が働く。したがって、回転用シリンダー(106)が伸縮によりトレー支持軸(100)に取り付けられているトレー部(1)の角度を変えることができる。
【００３４】
(112)はトレー部(1)の駆動部側端部に取り付けられるトレー固定板であり、トレー部(1)の一部を構成しており、トレー支持軸(100)と接続するトレー支持軸取付部(5)を有している。
【００３５】
(3)はトレー部(1)及び駆動部(2)が載置されるターンテーブルであり、回転軸(32)を中心として回転又は回動することができる。(3a)はターンテーブル上に駆動部(2)を置くための駆動部載置部である。回転は人力により行うが、駆動部筐体(2a)の上部に取り付けられた把手(2b)を掴んで引っ張ると回転させやすい。普段はターンテーブル(3)が勝手に回ってしまわないように、ストッパー機構を設けておくことが好ましい。
【００３６】
(60)は支持装置とは別に設けられた洗面台であり、昇降や移動できるような構造にすれば使用しやすい。
【００３７】
使用に際しては、背部支持部材(12)を倒した状態とする。主輪止め部材(10)は連動用支柱(11)により背部支持部材(12)と連動するようになっているので、主輪止め部材(10)も背部支持部材(12)と共に倒れた状態となる。
【００３８】
図４は車椅子(51)の乗降時の様子を示した図である。車椅子(51)は倒された背部支持部材(12)をまたぐようにしてトレー部(1)に進入する。このとき背部支持部材(12)は床(F)と略水平になるほど倒れているので、車椅子(51)の足置き(54)や底部が倒されている状態の背部支持部材(12)と干渉することはない。
【００３９】
倒された主輪止め部材(10)の端部は床(F)に接し、車椅子(51)をトレー部(1)のレール(1a)に載せるための進入路となり、この上を車椅子の自在車(53)と主輪(52)が踏み越えて通過する。
【００４０】
トレー部(1)は前方が高くなるような傾斜が有るが、理容師等が車椅子(51)を後方から押すことにより容易にトレー部(1)上に載せることができる。利用者に腕力があれば自力で車椅子(51)をトレー部(1)上に乗り上げることも可能である。
【００４１】
トレー部(1)の前方には自在車止め部材(15)が有るので、行き過ぎて自在車(53)がトレー部(1)から落ちてしまうことはない。
【００４２】
次いで、背部支持部材(12)を起こした状態とする。すると、主輪止め部材(10)も連動して起きた状態となる。これにより、車椅子(51)の背部は背部支持部材(12)により支持可能となり、主輪(52)は主輪止め部材(10)により支持可能となる。
【００４３】
この状態で背部支持部材(12)に設けられたロック支柱(13)の下端部が、ロック解除用足踏レバー(16)に突っ張ることとになり、背部支持部材(12)はロック支柱(13)により起こした状態で保持される。
【００４４】
トレー部(1)は前方（自在車側）が高くなるような傾斜を有しているので、車椅子(51)は後方に下がろうとするが、後方は背部支持部材(12)と主輪止め部材(10)により支持されているので、トレー部(1)から落ちてしまうことはない。
【００４５】
トレー部(1)上に車椅子(51)が載置された状態で、昇降用シリンダー(102)を伸ばすとこれに伴ってトレー部(1)が上昇し、車椅子利用者(50)の頭部位置が高くなる。理容師や美容師は作業しやすい高さに調整して、散髪，調髪等の作業を行うことができる。尚、図中(2c)は駆動部筐体(2a)に設けられた支持軸貫通孔であり、トレー支持軸(100)が貫通しており、トレー支持軸(100)が昇降できるように上下に長い長穴状となっている。
【００４６】
そして、回転用シリンダー(106)を作動させてトレー部(1)を傾けることにより、車椅子利用者を後方に傾斜させることができる。この状態で、洗髪やひげ剃り等の作業を行うと作業が容易となる。
【００４７】
洗髪の際には図５に示すようにターンテーブルを回転させて利用者の頭部が洗面台の上方に位置するようにする。そのとき、洗面台は利用者の座高や車椅子の高さ等に合わせて、上下方向及び水平方向に移動できるようにしておくことが好ましい。
【００４８】
尚、本実施例では転倒防止のために最大後方傾斜角を５０度としたが、この状態でも利用者(50)が首を少し後方に曲げれば頭は略水平状態となるので、洗髪に使用する湯が首を伝わって利用者(50)を濡らしてしまうことはない。
【００４９】
作業終了後に、ターンテーブル(3)を元位置に戻すと共に、駆動部(2)の駆動によりトレー部(1)の高さと傾きを元の基本位置に復帰させる。
【００５０】
その後、車椅子をトレー部(1)から降ろすために、背部支持部材(12)と主輪止め部材(10)を載せたとき同様に倒れた状態にする。その際、背部支持部材(12)にはロックがかかっているので、これを解除する必要がある。
【００５１】
ロック支柱(13)の下端部を係止しているロック解除用足踏レバー(16)は、スプリングにより常に上向きの力を受けているが、足で踏んでスプリングの力に抗して押し下げると、ロック支柱(13)の下端部が外れ背部支持部材(12)のロック状態が解除される。
【００５２】
その後、背部支持部材(12)と主輪止め部材(10)を倒し、主輪止め部材(10)を踏み越えて車椅子(51)を床(F)に降ろす。
【００５３】
尚、上記実施例においては油圧を用いてトレー部の昇降や回転を行ったが、駆動部を電動式としてモーターにより昇降や回転を行わせても良い。又、ターンテーブルを動力により回転させるようにしても良い。背部支持部材(12)と主輪止め部材(10)のロック機構も、支持可能状態を維持できるのなら他の構造でも良い。
【００５４】
又、散髪，洗髪等の理容の用途に用いる場合を例にとって説明したが、本発明の用途はこれに限定されるものではなく、他の用途、例えば歯科や眼科の診療や、各種の検査，介護等に利用することができる。
【００５５】
【発明の効果】
以上述べたように本発明により、車椅子利用者が車椅子から降りることなく、車椅子に座ったままの状態で散髪や洗髪等を行うことのできる装置を提供し、車椅子利用者が気軽に散髪や洗髪等のサービスを利用しやすくすることができる。
【図面の簡単な説明】
【図１】実施例の正面図を示した図。
【図２】実施例の平面図。
【図３】実施例の駆動部の内部構造を示した平面図
【図４】車椅子乗降時の様子を示した図。
【図５】洗髪時の様子を示した図。
【符号の説明】
(1) トレー部
(2) 駆動部
(2a)  駆動部の筐体
(2b)  把手
(2c)  支持軸貫通孔
(3) ターンテーブル
(3a)  駆動部載置部
(5) トレー支持軸取付部
(10)  主輪止め部材
(11)  連動用支柱
(12)  背部支持部材
(13)  ロック支柱
(14)  手摺
(15)  自在車止め部材
(16)  ロック解除用足踏レバー
(31)  油圧ユニット
(32)  ターンテーブル回転軸
(50)  車椅子利用者
(51)  車椅子
(52)  主輪
(53)  自在車
(60)  洗面台
(100) トレー支持軸
(101) 昇降板
(102) 昇降用シリンダー
(103) ピン
(104) 昇降用レール
(105) レール用ブロック
(106) 回転用シリンダー
(107) クランク
(108) クランク接続部
(109) キー材
(110) 軸受部材
(111) 軸受部
(112) トレー固定板
【図１】
0004037010.tif 000002
【図２】
0004037010.tif 000003
【図３】
0004037010.tif 000004
【図４】
0004037010.tif 000005
【図５】
0004037010.tif 000006